(57)【要約】【課題】ヒーターによって壁が加熱されることを抑制できる壁掛型暖房機を提供すること。【解決手段】壁掛型暖房機（１０）は、輻射式のヒーター（１２ｄ）と、ヒーター（１２ｄ）を囲い室内（Ｒ）に向かって熱エネルギを反射する反射板（３０）と、反射板（３０）の上方に配置され反射板（３０）に向かって送風を行う送風機構（１３）と、がケース（２０）に収納され、ケース（２０）の背面部（２１）が壁（Ｗ）に掛けられてなる。反射板（３０）は、ヒーター（１２ｄ）の上方から後方を囲い略Ｕ字状に形成された反射板本体部（３１）と、反射板本体部（３１）の下端から室内（Ｒ）に向かって延びる延出部（３２）と、を有している。延出部（３２）の一部は、ヒーター（１２ｄ）の下方に位置している。【選択図】図２
2018004193.tif 000002
【特許請求の範囲】
【請求項１】
輻射式のヒーターと、このヒーターを囲い室内に向かって熱エネルギを反射する反射板と、この反射板の上方に配置され前記反射板に向かって送風を行う送風機構と、がケースに収納され、このケースの背面部が壁に掛けられてなる壁掛型暖房機において、
前記反射板は、前記ヒーターの上方から後方を囲い略Ｕ字状に形成された反射板本体部と、この反射板本体部の下端から室内に向かって延びる延出部と、を有し、
前記延出部の一部は、前記ヒーターの下方に位置していることを特徴とする壁掛型暖房機。
【請求項２】
前記反射板本体部と前記延出部との境界部は、前記背面部から離間していることを特徴とする請求項１に記載の壁掛型暖房機。
【請求項３】
前記延出部は、前記境界部から下がり勾配に形成されていることを特徴とする請求項２に記載の壁掛型暖房機。
【発明の詳細な説明】
【技術分野】
【０００１】
本発明は、ケースの背面部が壁に掛けられてなる壁掛型暖房機に関する。
【背景技術】
【０００２】
浴室や脱衣所の壁に掛けて用いる暖房機が知られている。このような壁掛型暖房機として特許文献１に開示される技術がある。
【０００３】
特許文献１に示されるような、暖房機は、輻射式のヒーターと、このヒーターを囲い室内に向かって熱エネルギを反射する反射板と、この反射板の上方に配置され反射板に向かって送風を行う送風機構と、がケースに収納され、このケースの背面部が壁に掛けられてなる。
【０００４】
浴室や脱衣所のような狭い場所であっても、壁掛け式とすることにより暖房機を人の頭よりも高い位置に配置することができる。結果、スペースを有効に活用することができる。
【０００５】
しかし、暖房機を壁掛け式とした場合には、必然的に壁の近傍にヒーターが配置されることとなる。ヒーターによって壁が加熱されることを抑制できれば望ましい。
【先行技術文献】
【特許文献】
【０００６】
【特許文献１】特開２００７−４０６３４号公報
【発明の概要】
【発明が解決しようとする課題】
【０００７】
本発明は、ヒーターによって壁が加熱されることを抑制できる壁掛型暖房機の提供を課題とする。
【課題を解決するための手段】
【０００８】
請求項１による発明によれば、輻射式のヒーターと、このヒーターを囲い室内に向かって熱エネルギを反射する反射板と、この反射板の上方に配置され前記反射板に向かって送風を行う送風機構と、がケースに収納され、このケースの背面部が壁に掛けられてなる壁掛型暖房機において、
前記反射板は、前記ヒーターの上方から後方を囲い略Ｕ字状に形成された反射板本体部と、この反射板本体部の下端から室内に向かって延びる延出部と、を有し、
前記延出部の一部は、前記ヒーターの下方に位置していることを特徴とする壁掛型暖房機が提供される。
【０００９】
請求項２に記載のごとく、好ましくは、前記反射板本体部と前記延出部との境界部は、前記背面部から離間している。
【００１０】
請求項３に記載のごとく、好ましくは、前記延出部は、前記境界部から下がり勾配に形成されている。
【発明の効果】
【００１１】
請求項１に係る発明では、反射板本体部の下端から室内に向かって延びる延出部の一部は、ヒーターの下方に位置している。ヒーターから下方及び後方に向かって出された熱エネルギは、反射板によって室内に反射される。これにより、ヒーターによって壁が加熱されることが抑制される。
【００１２】
請求項２に係る発明では、反射板本体部と延出部との境界部は、背面部から離間している。背面部から離間しているため、境界部と壁との間に送風機構からの風を流すことができる。これにより反射板の裏側に熱が篭もることを抑制し、壁が加熱されることを抑制できる。
【００１３】
請求項３に係る発明では、延出部は、境界部から下がり勾配に形成されている。これにより、ヒーターの熱を直接的に室内側に向かって反射させることができる。直接的に室内側に反射させるため、エネルギ効率を高めることができる。
【図面の簡単な説明】
【００１４】
【図１】本発明の実施例による壁掛型暖房機の正面図である。
【図２】図１の２−２線断面図である。
【図３】図２の３部拡大図である。
【発明を実施するための形態】
【００１５】
本発明の実施の形態を添付図に基づいて以下に説明する。
＜実施例＞
【００１６】
図１を参照する。壁掛型暖房機１０は、例えば、脱衣所において用いられる横長の暖房装置である。
【００１７】
図２を参照する。壁掛型暖房機１０は、壁Ｗにケース２０が固定され、このケース２０に２本のヒーター１２ｄ，１２ｕ、これらのヒーター１２ｄ，１２ｕを覆っている反射板３０、及び、反射板３０に向かって送風を行う送風機構１３が収納されてなる。
【００１８】
図１を参照する。ケース２０の左右の端部には、それぞれフィルタ１４，１４が取り付けられている。フィルタ１４，１４は、塵や埃の堆積を抑制するために、概ね鉛直軸に沿って設けられている。
【００１９】
横長とは、水平側の横寸法が、鉛直側の縦寸法より大きいことをいい、この例では横寸法：縦寸法が、約２：１であるが、この比に限定されるものではない。
【００２０】
図２を参照する。ケース２０は、壁Ｗに固定された平面状の背面部２１と、この背面部２１の上端から室内Ｒに向かって延びる平面状の天井面部２２と、この天井面部２２の先端から背面部２１の下端まで延びる曲面状の正面部２３と、を備えている。
【００２１】
天井面部２２は、壁Ｗから室内Ｒに向かって緩やかな下がり勾配に延びている。
【００２２】
正面部２３は、緩やかな曲面によって構成されている。正面部２３の下部には、幅方向に亘って開口２３ａが形成され、この開口２３ａからヒーター１２ｄ，１２ｕが室内Ｒに臨んでいる。開口２３ａには、ヒーター１２ｄ，１２ｕを保護するための網板１５が被せられている。
【００２３】
ヒーター１２ｄ，１２ｕは、それぞれ水平に延びる棒状ヒーターが用いられている。ヒーター１２ｄ，１２ｕは、それぞれ上下にオフセットして配置されている。下方に配置された下部ヒーター１２ｄは、上方に配置された上部ヒーター１２ｕよりも壁Ｗ側に位置している。
【００２４】
なお、ヒーター１２ｄ，１２ｕには、横長の面状ヒーターを用いることもできる。また、ヒーター１２ｄ，１２ｕの本数は、任意である。
【００２５】
反射板３０は、側面視において略Ｗ字状を呈する金属板であり、ヒーター１２ｄ，１２ｕが発した熱線を室内Ｒに向かって反射させる。
【００２６】
反射板３０は、下部ヒーター１２ｄを覆い側面視において略Ｕ字状を呈する下部反射板本体部３１（反射板本体部３１）と、この下部反射板本体部３１の下端から室内Ｒに向かって延びる下部延出部３２（延出部３２）と、上部ヒーター１２ｕを覆い側面視において略Ｕ字状を呈する上部反射板本体部３３と、この上部反射板本体部３３の上端から室内に向かって延びる上部延出部３４と、下部反射板本体部３１及び上部反射板本体部３３を接続している反射板接続部３５と、を有している。
【００２７】
下部反射板本体部３１は、下部ヒーター１２ｄの上方及び後方（下部ヒーター１２ｄを基準として壁Ｗ側の側部）を覆っている。下部反射板本体部３１のうち、下部ヒーター１２ｄの上方を覆っている部位は、壁Ｗ側から室内Ｒ側に向かって緩やかな上り勾配とされている。
【００２８】
下部延出部３２は、下部反射板本体部３１との境界部Ｐ１から室内Ｒに向かって下り勾配に延びている。下部延出部３２の先端は、下部ヒーター１２ｄの下方に位置している。
【００２９】
下部反射板本体部３１と下部延出部３２との境界部Ｐ１は、ケース２０の背面部２１に対して離間している。
【００３０】
上部反射板本体部３３は、上部ヒーター１２ｕの上方及び後方（上部ヒーター１２ｕを基準として壁Ｗ側の側部）を覆っている。上部反射板本体部３３のうち、上部ヒーター１２ｕの上方を覆っている部位は、壁Ｗ側から室内Ｒ側に向かって緩やかな上り勾配とされている。
【００３１】
上部延出部３４は、上部反射板本体部３３との境界部Ｐ２から室内Ｒに向かって上り勾配に延びている。上部延出部３４の先端は、開口２３ａの縁の近傍まで延びている。上部延出部３４の先端と、開口２３ａの縁と、の間には、僅かな隙間を有している。
【００３２】
反射板接続部３５は、幅方向に亘って空けられ、送風機構１３からの空気が通過する通気孔を有している。これにより、反射板３０の近傍に熱が篭もることを抑制している。
【００３３】
送風機構１３は、ケース２０の幅方向中央に位置するファンモータ１３ａと、このファンモータ１３ａの左右に配置されファンモータ１３ａによって駆動される左右のシロッコファン１３ｂ（右のシロッコファン１３ｂのみが示されている。）と、を有している。
【００３４】
送風機構１３において発生させた風は、主に反射板接続部３５の開口部分を通過して室内に達する。送風機構１３において発生させた風の一部は、下部反射板本体部３１とケース２０の背面部２１との間を通過して室内Ｒに達する。
【００３５】
以上に説明した本発明は、以下の効果を奏する。
【００３６】
下部反射板本体部３１の下端から室内に向かって延びる下部延出部３２の先端部は、下部ヒーター１２ｄの下方に位置している。下部ヒーター１２ｄから下方及び後方に向かって出された熱エネルギ（熱線）は、反射板３０によって室内Ｒに反射される。これにより、下部ヒーター１２ｄによって壁Ｗが加熱されることが抑制される。
【００３７】
さらに、下部反射板本体部３１と下部延出部３２との境界部Ｐ１は、背面部２１から離間している。背面部２１から離間しているため、境界部Ｐ１と壁Ｗとの間に送風機構１３からの風を流すことができる。これにより反射板３０の裏側に熱が篭もることを抑制し、壁Ｗが加熱されることを抑制できる。
【００３８】
図３を参照する。下部延出部３２は、境界部Ｐ１から下がり勾配に形成されている。これにより、下部ヒーター１２ｄの熱を直接的に室内Ｒ側に向かって反射させることができる。直接的に室内Ｒ側に反射させるため、エネルギ効率を高めることができる。
【００３９】
尚、本発明による壁掛型暖房機は、脱衣所において用いられる壁掛型暖房機を例に説明したが、壁掛型暖房機が用いられる場所は、脱衣所には限られない。
【００４０】
さらに、壁掛型暖房機は、暖房機能及び送風機能を有しているものを例に説明したが、さらに冷房機能を備えているものであってもよい。
【００４１】
さらに、延出部の先端は、ヒーターよりも室内まで延びていても良い。この場合においても、延出部の一部は、ヒーターの下方に位置していることとなる。反射板本体部は、ヒーターの後方を覆っているからである。
【００４２】
本発明の作用及び効果を奏する限りにおいて、本発明は実施例に限定されるものではない。
【産業上の利用可能性】
【００４３】
本発明の壁掛型暖房機は、脱衣所を暖めるのに好適である。
【符号の説明】
【００４４】
１０…壁掛型暖房機
１２ｄ…下部ヒーター（ヒーター）
１３…送風機構
２０…ケース
２１…背面部
３０…反射板
３１…下部反射板本体部（反射板本体部）
３２…下部延出部（延出部）
Ｐ１…境界部
Ｗ…壁
Ｒ…室内
【図１】
2018004193.tif 000003
【図２】
2018004193.tif 000004
【図３】
2018004193.tif 000005